(57)【要約】【課題】コネクタが必要とするスペースを小さくすることができ、結果、製品の小型化に貢献でき、装着が簡単であり、工数を削減することができるコネクタの筐体取り付け構造とコネクタ装置を提供すること。【解決手段】コネクタ１０を筐体３０へ取り付ける構造において、前記コネクタを前記筐体へ取り付ける取り付けリング部１２を有する。取り付けリング部１２は、リング固定用片３と係合する係合部１２ｅを有する。リング固定用片３はコネクタ同士の嵌合をロックするロック部を有し、前記取り付けリング部を前記コネクタの嵌合離脱方向から挿入し、嵌合離脱方向と交差する方向へ前記取り付けリング部１２をスライドさせることにより、前記取り付けリング部１２と前記リング固定用片３とが協働してコネクタ１０を前記筐体３０に取り付けた。【選択図】　　　図１
2004071291.tif 000002
【特許請求の範囲】
【請求項１】
コネクタを筐体へ取り付ける構造において、前記コネクタを前記筐体へ取り付ける取り付けリング部を有し、前記取り付けリング部は、リング固定用片と係合する係合部を有し、前記リング固定用片はコネクタ同士の嵌合をロックするロック部を有し、前記取り付けリング部を前記コネクタの嵌合離脱方向から挿入し、嵌合離脱方向と交差する方向へ前記取り付けリング部をスライドさせることにより、前記取り付けリング部と前記リング固定用片とが協働してコネクタを前記筐体に取り付けたことを特徴とするコネクタの筐体への取り付け構造。
【請求項２】
請求項１記載のコネクタの筐体への取り付け構造において、取り付けリング部はバネ片を有し、前記バネ片により筐体を嵌合離脱方向へ押圧するようにしたことを特徴とするコネクタの筐体への取り付け構造。
【請求項３】
請求項１記載のコネクタの筐体への取り付け構造において、前記筐体はパネルを含むことを特徴とするコネクタの筐体への取り付け構造。
【請求項４】
相手側コネクタと嵌合するコネクタを筐体へ取り付けたコネクタ装置において、前記コネクタを前記筐体へ取り付ける取り付けリング部を有し、前記取り付けリング部は、リング固定用片と係合する係合部を有し、前記リング固定用片はコネクタ同士の嵌合をロックするロック部を有し、
前記取り付けリング部を前記コネクタの嵌合離脱方向から挿入し、嵌合離脱方向と交差する方向へ前記取り付けリング部をスライドさせることにより、前記取り付けリング部と前記リング固定用片とが協働してコネクタを前記筐体に取り付けたことを特徴とするコネクタ装置。
【請求項５】
請求項４記載のコネクタ装置において、前記取り付けリング部はバネ片を有し、前記バネ片により筐体を嵌合離脱方向へ押圧するようにしたことを特徴とするコネクタ装置。
【請求項６】
請求項４記載のコネクタ装置において、前記筐体はパネルを含むことを特徴とするコネクタ装置。
【発明の詳細な説明】
【０００１】
【発明の属する技術分野】
本発明は、コンピュータ、制御装置等の重荷Ｉ／Ｏ部に使用され、パネル等の筐体にレセプタクルコネクタの取り付け構造に関し、詳しくは、ＥＭＩシールドを兼ね備え、小型化に適し、かつ堅牢に筐体に取り付けることができるレセプタクルコネクタの筐体への取り付け構造とコネクタ装置に関する。
【０００２】
【従来の技術】
従来技術において、コンピュータ用のＩ／Ｏコネクタ等は殆ど次の構造を取っている。
【０００３】
即ち、従来の技術では、レセプタクルコネクタとパネルとの固定のためにねじを用い、ネジの締め付け力により、コネクタをパネルに固定しており、そのネジ分構造の確保の為のスペースが必要とされてきた。
【０００４】
図１１は従来技術によるコネクタの脱落防止装置を示す斜視図、図１２（ａ）及び（ｂ）及び（ｃ）は図１１のコネクタの動作説明に供せられる平面図である（特開平５−２１１０７号公報、以下、従来技術１と呼ぶ、参照）。図１１及び図１２を参照すると、基台１０６に雄型コネクタＭが装着される。ビス１０３は、雄型クラスタＭの長手方向両端に開口された挿通穴を介して雄螺子部を突出を突出されている。係合金具１０２は、軸方向の一端に円板状の係合突起１０１を有し、他端に雄螺子部を有している。係合金具１０２の雌螺子部は、ビス１０３の雄螺子部に螺合できるように形成されている。
【０００５】
図１２（ａ）では、雄型コネクタＭの長手方向両端に一対の係合金具１０２をビス１０３により、螺子止め固定した状態を示している。図１２（ｂ）に示すようなスライド金具１０４を有する雌型コネクタＦにそのまま接続し固定することができる。ここで、スライド金具１０４は係合金具１０２の係合突起１０１と係合する位置と係合しない位置との間でスライド自在とされている。
【０００６】
次に図１２（ａ）に示した状態から、係合金具１０２の雌螺子部をビス１０３の雄螺子部から離脱させると図１２（ｃ）に示すように、ビス１０３の雄螺子部が雄型コネクタＭの長手方向両端にビス１０３が突出したものと同じ状態であるから、雌螺子ボス１０３に螺子止め固定することが可能となるものである。
【０００７】
一方、図１３に示すようなコネクタロック装置が提案されている（特開平６−１３１３１号公報、以下、従来技術２と呼ぶ、参照）。図１３は従来技術２によるコネクタロック装置を示す平面図である。図１３を参照すると、従来技術２によるコネクタロック装置では、手動でスライド板１１４を一番左の位置に移動し、コネクタ１１０、コネクタ１１２を接合することで、コネクタが接続される。電子装置は、コネクタ１１０、コネクタ１１２を経由する通信を開始する前に、吸引型ＤＣソレノイド１２０を駆動し、可動鉄芯１１８はスライディングロック装置のスライド板１１４をロック方向に移動させロックの設定を行う。
【０００８】
電子装置は、スライド板１１４の移動に必要な時間だけ吸引型ソレノイド１２０を駆動した後、ソレノイド駆動を停止する。復帰スプリング１２２により可動鉄芯１１８と、スライド板１１４は固定されていないため、スライド板１１４は、ロックの位置に残る構成である。
【０００９】
【発明が解決しようとする課題】
近代、電子機器の小型化に伴い、コネクタの小型化の要求がますます強くなりつつある。
【００１０】
しかしながら、従来技術１及び２においては、それぞれ螺子部及び吸引型ソレノイドを用いているために、そのためのスペースが必要となり、小型化の要求には対応できない。さらに、信号伝送速度の高速化に伴い、ＥＭＩ対策も必要とされる。
【００１１】
そこで、本発明の一技術的課題は、従来技術１のようなのネジ部の確保のためのスペースをなくすることができ、コネクタが必要とするスペースを小さくすることができ、結果、製品の小型化に貢献できるコネクタの筐体取り付け構造とコネクタ装置とを提供することにある。
【００１２】
また、本発明のもう一つの技術的課題は、確実なＥＭＩシールドの効果が得られるコネクタの筐体取り付け構造とコネクタ装置とを提供することにある。
【００１３】
また、本発明のもう一つの技術的課題は、装着が簡単で工数を削減することができるコネクタの筐体取り付け構造とコネクタ装置とを提供することにある。
【００１４】
【課題を解決するための手段】
本発明によれば、コネクタを筐体へ取り付ける構造において、前記コネクタを前記筐体へ取り付ける取り付けリング部を有し、前記取り付けリング部は、リング固定用片と係合する係合部を有し、前記リング固定用片はコネクタ同士の嵌合をロックするロック部を有し、取り付けリング部を前記コネクタの嵌合離脱方向から挿入し、嵌合離脱方向と交差する方向へ前記取り付けリング部をスライドさせることにより、前記取り付けリング部と前記リング固定用片とが協働してコネクタを前記筐体に取り付けたことを特徴とするコネクタの筐体への取り付け構造が得られる。
【００１５】
また、本発明によれば、前記コネクタの筐体への取り付け構造において、取り付けリング部はバネ片を有し、前記バネ片により筐体を嵌合離脱方向へ押圧するようにしたことを特徴とするコネクタの筐体への取り付け構造が得られる。
【００１６】
また、本発明によれば、前記コネクタの筐体への取り付け構造において、前記筐体はパネルを含むことを特徴とするコネクタの筐体への取り付け構造が得られる。
【００１７】
また、本発明によれば、相手側コネクタと嵌合するコネクタを筐体へ取り付けたコネクタ装置において、前記コネクタを前記筐体へ取り付ける取り付けリング部を有し、前記取り付けリング部は、リング固定用片と係合する係合部を有し、前記リング固定用片はコネクタ同士の嵌合をロックするロック部を有し、前記取り付けリング部を前記コネクタの嵌合離脱方向から挿入し、嵌合離脱方向と交差する方向へ前記取り付けリング部をスライドさせることにより、前記取り付けリング部と前記リング固定用片とが協働してコネクタを前記筐体に取り付けたことを特徴とするコネクタ装置が得られる。
【００１８】
また、本発明によれば、前記コネクタ装置において、前記取り付けリング部はバネ片を有し、前記バネ片により筐体を嵌合離脱方向へ押圧するようにしたことを特徴とするコネクタ装置が得られる。
【００１９】
さらに、本発明によれば、前記コネクタ装置において、前記筐体はパネルを含むことを特徴とするコネクタ装置が得られる。
【００２０】
ここで、本発明において、相手側コネクタはプラグコネクタであり、これに嵌合するコネクタはレセプタクルコネクタであることが好ましい。
【００２１】
【発明の実施の形態】
以下、本発明の実施の形態について図面を参照しながら説明する。
【００２２】
図１は本発明の第１の実施の形態によるコネクタの構造を示す斜視図である。図２（ａ）は図１のレセプタクルコネクタの分解組み立て斜視図である。図２（ｂ）は図２（ａ）のガスケットの変形例を示す斜視図である。図３は図２（ａ）のリングの斜視図である。ここで、以下の説明において、説明の便宜上、プラグコネクタ５０及びレセプタクルコネクタ１０において、互いに嵌合する側を前方、その逆側を夫々後方と呼ぶ。
【００２３】
図１に示すように、コネクタ装置は、パネル３０に装着されたレセプタクルコネクタ１０を備え、これにプラグコネクタ５０が嵌合される。
【００２４】
プラグコネクタ５０は、後端両側にロック解除操作部５３を備え、前端に扁平な金属製の円筒部５１とその両側に内側に、先端がＵ字に折り曲げられたロック片とを外郭部もしくはシェルに備え、後端からケーブルが延在する形状である。また、円筒部内には、レセプタクルコネクタの孔部に挿入される図示しないピン端子が夫々孔部に対応して設けられている。
【００２５】
図２（ａ）に最も良く示されるように、レセプタクルコネクタ１０は、箱型の後端部に凹形状となるようにくぼみを備えたインシュレータもしくは外郭部１と、前端に突出した外周部が金属製でかつピン孔を備えた嵌合部２とその両側に設けられたリング固定用片３とを備えている。
【００２６】
ガスケット１１は、弾性素材であり、また、導電性を備えたゴムからなり、嵌合部２に対応した形状の開口部１１ａと、その両側にリング固定用片３が挿通される挿通孔１１ｂを備えている。
【００２７】
パネル３０は、嵌合部２及び固定用片３に対応して両側が幅の狭い切り込みを備えた角型の開口部３１を備えている。
【００２８】
取り付けリング部１２は、パネル３０の正面に設けられ、レセプタクルコネクタ１０をパネル３０に固定するとともに、プラグコネクタ５０への嵌合をガイドするために用いられる。
【００２９】
図３に最も良く示されるように、取り付けリング部１２は、板体の中央に開口部１２ａとその両側にそれぞれ対向して突出して設けられた突出片１２ｅとその外側に細孔１２ｂとを備えている。取り付けリング部１２は、板体の両側が前方に突出した操作用爪１２ｄ，１２ｄを備えている。また、板体の上下端部は、補強のために前方に突出して折り曲げられて補強片１２ｃ，１２ｃを形成している。
【００３０】
図４はレセプタクルコネクタ１０を示す図で、（ａ）は平面図、（ｂ）は正面図、（ｃ）は側面図である。図５はレセプタクルコネクタ１０のパネル取り付け状態を示す部分拡大断面図である。図６（ａ）及び図６（ｂ）は取り付けリング部の装着固定構造を示す図５のＶＩ−ＶＩ線断面図である。図７（ａ）及び（ｂ）は取り付けリング部の装着固定構造を示す図４（ｂ）のＶＩＩ−ＶＩＩ線断面図である。
【００３１】
図４（ａ），（ｂ），及び（ｃ）を参照すると、レセプタクルコネクタ１０はピンコンタクト５を保持するインシュレータ１を備えている。インシュレータ１は、その前端に突出した嵌合部２を備えている。嵌合部２は、筒状のピンコンタクト７を保持する嵌合部インシュレータ６と、嵌合部インシュレータ６の周囲に設けられた筒状の金属からなるガイド筒部２ａとを備えている。前端が筒状のピンコンタクト７は後方に延在して円柱もしくは板状のピンコンタクト５となっている。
【００３２】
嵌合部２の両側には、ロック部としてのリング固定用片３が突出して設けられている。リング固定用片３は、四角のリング状のリング部３ｂと、インシュレータ１まで延びるリング固定部３ｃとを備えている。リング部３ｂには、ロック用の孔部３ａが設けられている。なお、符号２０はコネクタ実装用の基板である。
【００３３】
図５は、図２（ａ）に示すパネル３０に、レセプタクルコネクタ１０をガスケット１１を介して装着するとともに、パネル３０の前面に取り付けリング部１２を設けた構成を示している。
【００３４】
このように、レセプタクルコネクタ１０に相手側プラグコネクタ５０とのロック片として、リング固定用片３を有し、そのリング固定用片３にパネル固定用の取り付けリング部１２が固定される構造を備えている。取り付けリング部１２とレセプタクルコネクタ１０でパネル３０を挟み込みパネル３０の抜け防止を図る構造である。
【００３５】
また、レセプタクルコネクタ１０とパネル３０との間には、ＥＭＩシールド用に弾性素材のガスケット１１を設け、パネル３０とレセプタクルコネクタ５０のシェルの間でガスケット１１を変形させ、接触させるが、ガスケット１１は、その変形による反力で安定した接触を得ることができる。
【００３６】
図６（ａ）、（ｂ）及び図７（ａ），（ｂ）に示すように、取り付けリング部１２を装着するには、パネル３０の前面に嵌合部２及びリング固定用片３が突出した状態で、まず、図６（ａ）及び図７（ａ）に示すように、固定部３ｃを細孔１２ｂに入るように、挿入する。ここで、固定部３ｃの上下端には、レセプタクルコネクタ３０のインシュレータ１側に向かって傾斜した略３角形の斜面３ｄ，３ｅが形成され、先端３ｆが丸くなるように形成されている。また、細孔１２ｂと、開口部１２ａとの境界部には、上下方向及び前方に突出した突出片１２ｅが形成されている。この突出片１２ｅは、外側がやや内側に丸く突出している。
【００３７】
したがって、図６（ａ）及び図７（ａ）の状態から、取り付けリング部１２を図６（ｂ）及び図７（ｂ）に示すように、右側にスライドさせると、突出片１２ｅと、固定部３ｃの上下端３ｆとが係合し、斜面３ｅ及び突出部１２ｅとが当接して、レセプタクルコネクタ１０に対する取り付けリング部１２の左側の移動が阻止されてロック状態となる。
【００３８】
このように、取り付けリング部１２は、スライドさせることにより固定され、パネル３０が抜けない構造であり、リング自体にレセプタクルのロック片と固定するためのロック機能とを有する。
【００３９】
図８は本発明の第２の実施の形態によるレセプタクルコネクタを示す図で、（ａ）は平面図，（ｂ）は正面図、（ｃ）は側面図である。図９は図８のレセプタクルコネクタ１０´のＡ´部分におけるパネル取り付け状態を示す部分拡大断面図である。図１０は図９の取り付けリング部１２´を示す拡大斜視図である。
【００４０】
図８を参照すると、第２の実施の形態によるレセプタクルコネクタ１０´はリング固定用片８の形状が第１の実施の形態によるリング固定用片３とは異なる他は、同様の構成を有している。
【００４１】
即ち、図８（ｃ）に最も良く示されるように、リング固定用片８は、突出部８ａと、リング固定部８ｂとを備えている、リング固定部８ｂは、リング固定部３ｃと同様に、斜面８ｃを備えている。
【００４２】
図９に示されるように、レセプタクルコネクタ１０´はガスケット１１を介してパネル３０に固定され、一方、パネル前方に突出した嵌合部２及びリング固定用片８によって、取り付けリング部１２´が固定される。
【００４３】
図１０に示されるように、取り付けリング部１２´は、パネル３０の正面に設けられ、レセプタクルコネクタ１０をパネルに固定するとともに、プラグコネクタ５０への嵌合をガイドするために用いられる。
【００４４】
ここで、取り付けリング部１２´は、板体の中央に開口部１２ａとその両側にそれぞれ対向して突出して設けられた突出片１２ｅとその外側に細孔１２ｂとを備えている。取り付けリング部１２の板体の両側が前方に突出した操作用爪１２ｄ，１２ｄを備えている。また、上下端部は、補強のために前方に突出して折り曲げられて補強片１２ｃ，１２ｃを形成している。
【００４５】
さらに、開口部１２ａの上下縁部には、コの字状に対向して、切り起こされたバネ片１２ｆが設けられている。このバネ片１２ｆは、板厚方向で、パネル３０を押し付けるように形成されている。したがって、この取り付けリング部１２´を用いると、ガスケット１１を省略することもできる。
【００４６】
パネル３０と機械的または電気的な固定および接続を必要とするレセプタクルコネクタ１０´に関し、ＥＭＩシールドを兼ね備え、小型化に適し、かつ堅牢に筐体に取り付けを行うことができる構造を有する。
【００４７】
このように本発明の第２の実施の形態によれば、相手側プラグとロック用とは関係なく、単独でパネル３０とレセプタクルコネクタ１０´を固定したコネクタ装置を作製することができる。
【００４８】
【発明の効果】
以上説明したように、本発明によれば、コネクタの小型化を図ることができるため、小型化に貢献できるコネクタの筐体取り付け構造を提供することができる。
【００４９】
また、本発明によれば、導電性のガスケット等を用いることで、確実なＥＭＩシールドの効果が得られるコネクタの筐体取り付け構造を提供することができる。
【００５０】
また、本発明によれば、着脱のための操作方法が簡単なため、工数を削減することができるコネクタの筐体取り付け構造を提供することができる。
【図面の簡単な説明】
【図１】本発明の第１の実施の形態によるコネクタの構造を示す斜視図である。
【図２】（ａ）は図１のレセプタクルコネクタの分解組み立て斜視図である。（ｂ）は図２（ａ）のガスケットの変形例を示す斜視図である。
【図３】
図２（ａ）のリングの斜視図である。
【図４】レセプタクルコネクタ１０を示す図で、（ａ）は平面図、（ｂ）は正面図、（ｃ）は側面図である。
【図５】レセプタクルコネクタ１０のパネル取り付け状態を示す部分拡大断面図である。
【図６】（ａ）及び（ｂ）は取り付けリング部の装着固定構造を示す図５のＶＩ−ＶＩ線断面図である。
【図７】（ａ）及び（ｂ）は取り付けリング部の装着固定構造を示す図４（ｂ）のＶＩＩ−ＶＩＩ線断面図である。
【図８】本発明の第２の実施の形態によるレセプタクルコネクタを示す図で、（ａ）は平面図，（ｂ）は正面図、（ｃ）は側面図である。
【図９】図８のレセプタクルコネクタ１０´のＡ´部分におけるパネル取り付け状態を示す部分拡大断面図である。
【図１０】図９の取り付けリング部１２´を示す拡大斜視図である。
【図１１】従来技術１によるコネクタの脱落防止装置を示す斜視図である。
【図１２】（ａ）及び（ｂ）及び（ｃ）は図１１のコネクタの動作説明に供せられる平面図である。
【図１３】従来技術２によるコネクタロック装置を示す平面図である。
【符号の説明】
１　　インシュレータ（外郭部）
２　　嵌合部
２ａ　　ガイド筒部
３，８　　（リング）固定用片
３ｂ　　リング部
３ｃ　　リング固定部
３ａ　　孔部
３ｄ，３ｅ　　斜面
３ｆ　　先端
５　　ピンコンタクト
６　　嵌合部インシュレータ
７　　ピンコンタクト
８ａ　　突出部
８ｂ　　リング固定部
１０，１０´　　レセプタクルコネクタ
１１　　ガスケット
１１ａ　　開口部
１１ｂ　　挿通孔
１２，１２´　　取り付けリング部
１２ａ　　開口部
１２ｂ　　細孔
１２ｃ　　補強片
１２ｄ　　操作用爪
１２ｅ　　突出片
３０　　パネル
３１　　開口部
５０　　プラグコネクタ
５１　　円筒部
５３　　ロック解除操作部
１０１　　係合突起
１０２　　係合金具
１０３　　ビス
１０４　　スライド金具
１０６　　基台
１１０　　コネクタ
１１２　　コネクタ
１１４　　スライド板
１１８　　可動鉄芯
１２０　　吸引型ソレノイド
１２２　　復帰スプリング
【図１】
2004071291.tif 000003
【図２】
2004071291.tif 000004
【図３】
2004071291.tif 000005
【図４】
2004071291.tif 000006
【図５】
2004071291.tif 000007
【図６】
2004071291.tif 000008
【図７】
2004071291.tif 000009
【図８】
2004071291.tif 000010
【図９】
2004071291.tif 000011
【図１０】
2004071291.tif 000012
【図１１】
2004071291.tif 000013
【図１２】
2004071291.tif 000014
【図１３】
2004071291.tif 000015